(57)【要約】【課題】  本発明は、表示パネル（フラットディスプレイパネル）の表示を、運転者が見やすく、しかも即座に必要な情報を読み取ることのできる表示装置を提供することを目的とする。【解決手段】  マトリックス状に複数の画素が形成されている表示パネルＰによって様々な車両情報を表示する表示装置において、前記表示パネルＰに表示する表示画像として、各種の前記車両情報を表示する標準モード表示画像Ａ１と前記標準モード表示画像Ａ１に比べて表示項目数が少ない前記車両情報を表示するシンプルモード表示画像Ａ２とを少なくとも備え、前記表示パネルＰの表示制御を行う制御部１０１によって切替装置１００の指示に従って前記標準モード表示画像Ａ１と前記シンプルモード表示画像Ａ２とを切り換え表示可能に設けてなることを特徴とする表示装置である。【選択図】  図１
2013049373.tif 000002
【特許請求の範囲】
【請求項１】
マトリックス状に複数の画素が形成されている表示パネルによって様々な車両情報を表示する表示装置において、前記表示パネルに表示する表示画像として、各種の前記車両情報を表示する標準モード表示画像と前記標準モード表示画像に比べて表示項目数が少ない前記車両情報を表示するシンプルモード表示画像とを少なくとも備え、前記表示パネルの表示制御を行う制御部によって切替装置の指示に従って前記標準モード表示画像と前記シンプルモード表示画像とを切り換え表示可能に設けてなることを特徴とする表示装置。
【請求項２】
前記制御部は、前記標準モード表示画像の中から燃費などに焦点を当てた前記表示項目を厳選して表示するエコモード表示画像を前記切替装置の指示に従って切り替えることを特徴とする請求項１に記載の表示装置。
【請求項３】
前記制御部は、前記標準モード表示画像の中からスポーツ走行に焦点を当てた前記表示項目を厳選して表示するスポーツ走行モード表示画像を前記切替装置の指示に従って切り替えることを特徴とする請求項１に記載の表示装置。
【請求項４】
前記制御部は、前記標準モード表示画像の中から任意に選定された表示項目を表示するカスタムモード表示画像を前記切替装置の指示に従って切り替えることを特徴とする請求項１に記載の表示装置。
【発明の詳細な説明】
【技術分野】
【０００１】
本発明は、例えば自動車やオートバイなどの車両情報（計測情報）を表示する表示装置に関するものである。
【背景技術】
【０００２】
この種の車両用としての表示装置として例えば、液晶パネル、ＥＬパネル、その他のフラットディスプレイパネルからなる表示装置と、この表示装置に車両情報例えば車輪の回転をスピードに変換する回転速度センサやエンジン回転数を計測するエンジン回転センサあるいは燃料量を検出する液量センサ、エンジンの水温を検出する温度センサ、バッテリーの電圧を検出するセンサ、ギヤポジション位置を検出するセンサ等から得られた計測情報を画像として表示させるマイコンを含む制御手段とを備えている。
【０００３】
例えば液晶によるマトリックス状に複数の画素が形成されているフラットディスプレイパネルなどにあっては、例えば車速やエンジン回転数を指針に模した表示像からなるアナログ表示画像にて表示するもの（特許文献１）やデジタル表示画像にて表示するもの（特許文献２）あるいはアナログ表示と画像とデジタル表示画像とを併記するように表示するもの（特許文献３）などが知られている。
【先行技術文献】
【特許文献】
【０００４】
【特許文献１】特開２００４ー１５７４３４号公報
【特許文献２】特開２００５−３０８４８９号公報
【特許文献３】特開２００８−２５４５３９号公報
【発明の概要】
【発明が解決しようとする課題】
【０００５】
しかし、フラットディスプレイパネルからなる表示装置においては、車両情報として各種のセンサからの信号に基づいて、例えば車両の速度を表示する速度計、エンジンの回転数を表示するエンジン回転計、車両の燃料量を計測表示する燃料計、エンジンを冷却する水温を表示する温度計、車両の走行距離を表示する走行距離計（オドメータ、トリップメータ）、ギヤの位置を表示するギヤポジション表示器、そして車両の状態を表示したり、車両の状態を監視する集中ウォーニング表示器などの様々な表示画像がパネル上に表示されるため、必要とする情報が即座に判別することができないという問題点があった。
【０００６】
そこで、本発明は、上述した課題に着目してなされたものであり、マトリックス状に複数の画素が形成されている表示パネル（フラットディスプレイパネル）の表示を、運転者が見やすく、しかも即座に必要な情報を読み取ることのできる表示装置を提供することを目的とするものである。
【課題を解決するための手段】
【０００７】
本発明は前述した課題を解決するため、請求項１では、マトリックス状に複数の画素が形成されている表示パネルによって様々な車両情報を表示する表示装置において、前記表示パネルに表示する表示画像として、各種の前記車両情報を表示する標準モード表示画像と前記標準モード表示画像に比べて表示項目数が少ない前記車両情報を表示するシンプルモード表示画像とを少なくとも備え、前記表示パネルの表示制御を行う制御部によって切替装置の指示に従って前記標準モード表示画像と前記シンプルモード表示画像とを切り換え表示可能に設けてなることを特徴とする表示装置である。
【０００８】
このように構成することにより、車両の様々な情報を見たい場合にあっては、標準モード表示画像を選択することによって各種の車両情報を読み取ることができるとともに、例えば保安基準に合わせて必要最小限の表示情報を見たい場合にあっては、切替装置の指示に従ってシンプルモード表示画像の表示へと切り替えを行うことができ、必要な情報を即座に読み取ることが可能となる。
【０００９】
また請求項２では、請求項１に記載の表示装置において、前記制御部は、前記標準モード表示画像の中から燃費などに焦点を当てた前記表示項目を厳選して表示するエコモード表示画像を前記切替装置の指示に従って切り替えることを特徴とするものである。
【００１０】
このように構成することにより、エコ表示項目を強調して表示することができるとともに、斬新な演出効果を達成することができる。
【００１１】
また請求項３では、請求項１に記載の表示装置において、前記制御部は、前記標準モード表示画像の中からスポーツ走行に焦点を当てた前記表示項目を厳選して表示するスポーツ走行モード表示画像を前記切替装置の指示に従って切り替えることを特徴とするものである。
【００１２】
このように構成することにより、例えばエンジン回転表示を強調して画像表示したり、エンジンの状態である過給器の状況を画像表示したりすることによって、それぞれの表示画像の視認性を良好にしつつ、躍動感が得られ、斬新な演出効果を達成することができる。
【００１３】
また請求項４では、請求項１に記載の表示装置において、前記制御部は、前記標準モード表示画像の中から任意に選定された表示項目を表示するカスタムモード表示画像を前記切替装置の指示に従って切り替えることを特徴とするものである。
【００１４】
このように構成することにより、運転者が任意に選択した表示項目の情報を強調して画像表示することができ、しかも即座に判別することが可能となる。
【発明の効果】
【００１５】
本発明では、マトリックス状に複数の画素が形成されている表示パネルによって様々な車両情報を表示する表示装置において、前記表示パネルに表示する表示画像として、各種の前記車両情報を表示する標準モード表示画像と前記標準モード表示画像に比べて表示項目数が少ない前記車両情報を表示するシンプルモード表示画像とを少なくとも備え、前記表示パネルの表示制御を行う制御部によって切替装置の指示に従って前記標準モード表示画像と前記シンプルモード表示画像とを切り換え表示可能に設けてなることを特徴とする表示装置であるため、車両の様々な情報を見たい場合にあっては、標準モード表示画像を選択することによって各種の車両情報を読み取ることができるとともに、例えば保安基準に合わせて必要最小限の表示情報を見たい場合にあっては、切替装置の指示に従ってシンプルモード表示画像の表示へと切り替えを行うことができ、必要な情報を即座に読み取ることが可能となり、これにより所期の目的を達成することができる。
【図面の簡単な説明】
【００１６】
【図１】本発明の第１の実施形態である車両用指示計器（表示装置）の電気的構成を示すブロック図。
【図２】図２は、図１の表示装置の制御部の一例を示すフローチャート。
【図３】図３は、表示装置の「標準モード表示画像」の一実施例を示す正面図。
【図４】図４は、表示装置の「シンプルモード表示画像」の一実施例を示す正面図。
【図５】図５は、表示装置の「エコモード表示画像」の一実施例を示す正面図。
【図６】図６は、表示装置の「スポーツ走行モード表示画像」の一実施例を示す正面図。
【図７】図７は、表示装置の「カスタムモード表示画像」の一実施例を示す正面図。
【発明を実施するための最良の形態】
【００１７】
本発明の対象とする表示装置として、自動車に搭載される表示パネル（フラットディスプレイパネル）からなる指示計器による表示装置を例にして詳述する。
【００１８】
以下本発明の第１の実施形態を添付図面に基づいて説明する。図１から図７は本発明の第１の実施形態を示すもので、表示パネルＰに表示する表示画像として、各種の車両情報である表示項目を表示する「標準モード表示画像Ａ１」と「標準モード表示画像Ａ１」に比べて表示項目数が少ない車両情報を表示する「シンプルモード表示画像Ａ２」とを基本的に備えている。
【００１９】
また、「標準モード表示画像Ａ１」と「シンプルモード表示画像Ａ２」の他に、「標準モード表示画像Ａ１」の中から燃費などに焦点を当てた表示項目を厳選して表示する「エコモード表示画像Ａ３」と、「標準モード表示画像Ａ１」の中からスポーツ走行に焦点を当てた表示項目を厳選して表示する「スポーツ走行モード表示画像Ａ４」と、「標準モード表示画像Ａ１」の中から任意に選定された表示項目を表示する「カスタムモード表示画像Ａ５」とが後述する切替装置の操作によって切り替え可能に設けられている。
【００２０】
図１は、本発明に係る構成を示すブロック図であり、車両用の表示装置の電気的構成について説明する。表示装置は、表示画像の切替装置である操作手段１００と、制御部１０１と、イグニッションスイッチ１０２と、表示パネルＰから構成されている。
【００２１】
表示画像の切替装置である操作手段１００は、ステアリングスイッチや指示計器内の操作スイッチあるいは車両側ＥＣＵからのモード切替信号からなっている。
【００２２】
制御部１０１はマイクロコンピュータからなり、ＣＰＵ，ＲＯＭ，ＲＡＭ，インターフェース回路，各種画像を記憶する記憶装置を含んでいる。制御部１０１はＥＣＵからの各種車両情報を入力し、車両の速度、エンジン回転数、各種警報などの車両情報を演算処理によって求め所定の表示を行わせるように構成している。
【００２３】
イグニッションスイッチ１０２は、車両に搭載され、車両キーの回転動作に基づきＯＮ、ＯＦＦをするものである。
【００２４】
表示パネルＰは、マトリックス状に形成され複数の画素が形成されたＴＦＴ表示パネルからなり、バックライト光源が背後に配置されている。表示パネルＰは操作手段１００の入力に基づく制御部１０１の所定処理によって「標準モード表示画像Ａ１」、「シンプルモード表示画像Ａ２」、「エコモード表示画像Ａ３」、「スポーツ走行モード表示画像Ａ４」、「カスタムモード表示画像Ａ５」を表示する。
【００２５】
図２を用いて、制御部１０１の制御フローについて説明する。制御部１０１は、イグニッションスイッチ１０２からの入力があるかを判定する（Ｓ１）。
【００２６】
次に制御部１０１はイグニッションスイッチ１０２がＯＮされるとイグニッションスイッチ１０２が前回ＯＦＦされた時点の画像（標準モード表示画像Ａ１、シンプルモード表示画像Ａ２、エコモード表示画像Ａ３、スポーツ走行モード表示画像Ａ４、カスタムモード表示画像Ａ５のいずれかの画像）を表示する（Ｓ２）。
【００２７】
また制御部１０１はＳ３からＳ７の判定処理によって標準モード、シンプルモード、エコモード、スポーツ走行モード、カスタムモードのいずれかの表示画像Ａ１，Ａ２，Ａ３，Ａ４，Ａ５が操作手段１００の操作に基づいて切り替えられたかを判定し、判定した内容に基づいて表示画像としてＳ８からＳ１２によって各表示画像を特定し、判定した内容に基づいて表示画像として定められるように設けている（Ｓ１３）。
【００２８】
図３は「標準モード表示画像Ａ１」の一実施例を示すものであり、「標準モード表示画像Ａ１」は表示パネルＰの表示画面上に車両の速度を示す速度表示画像１、エンジンの回転を表示するエンジン回転表示画像２、エンジンのラジエータの水温を表示する水温表示画像３、車両の燃料タンク内の残燃料量を示す燃料表示画像４、ギヤポジション位置を表示するギヤポジション表示画像５、車両の進行方向を指示する方向指示器表示画像６、車両の状態を監視したり異常状態を警告する各ウォーニング表示画像７、車両の走行距離を計測表示する積算表示画像８、車両の燃費を表示する燃費表示画像９、車両のエコ運転を例えば色別（緑色照明、オレンジ色照明、赤色照明など）にて知らせるエコ表示画像１０などが表示されるように設けられている。
【００２９】
なお、前述の各モード表示画像（Ａ１，Ａ２，Ａ３，Ａ４，Ａ５）を表示するモード名表示画像１１が表示パネルＰの表示画面上（右上）に設けられている。
【００３０】
図４は「シンプルモード表示画像Ａ２」の一実施例を示すものであり、「標準モード表示画像Ａ１」に比べ表示項目数を抑え、必要最小限の表示情報を表示するようにしたものである。
【００３１】
「シンプルモード表示画像Ａ２」は、表示パネルＰの画面上の中央に大きな表示形態からなる速度表示画像１が配置されている。この速度表示画像Ａ１の両側には水温表示画像３と燃料表示画像４が配置され、中央の上部に方向指示器表示画像６が配置され、速度表示画像１の下側に車両の走行距離を表示する積算表示画像８が配置され、表示画面の右上にはモード名表示画像１１としてシンプルモード表示画像の文字が表記されている。
【００３２】
図５は「エコモード表示画像Ａ３」の一実施例を示すものであり、「エコモード表示画像Ａ３」は、「標準モード表示画像Ａ１」の中から燃費に関連づけて焦点を当てた表示項目を主体に厳選して表示する表示画像である。
【００３３】
「エコモード表示画像Ａ３」は、中央に大きく速度表示画像１が配置され、その左側にはエンジンの回転を表示するエンジン回転表示画像２が配置され、そのエンジン回転表示画像２の周囲には環状（リング状）に取り巻くようにエコ表示画像１０が設けられている。このリング状のエコ表示画像１０は、エンジン回転数が低い場合には例えば緑色に表示され、エンジン回転数が中速域にある場合に例えば黄色に表示され、エンジン回転数が高速回転領域にある場合には、赤色に表示されるように設けられている。これにより、エコ運転をしているかどうかを容易に判別することができる。
【００３４】
また、速度表示画像１の右側には燃料表示画像４と水温表示画像３が配置され、速度表示画像１の下側に積算表示画像８が配置され、速度表示画像１の上側には方向指示器表示画像６が配置されている。また、車両の燃費を表す燃費表示画像９が左上側に配置され、表示画面の右上にはモード名表示画像１１としてエコモード表示画像の文字が表記されている。
【００３５】
なお、速度表示画像１において、この実施形態にあっては車両の速度の増減に伴い、指針の指示領域に合わせて緑色から黄色へと段階的に変化し、高速走行時においては赤色に指針の色合いが変化するように設けられている。
【００３６】
図６は「スポーツ走行モード表示画像Ａ４」の一実施例を示すものであり、「スポーツ走行モード表示画像Ａ４」は、「標準モード表示画像Ａ１」の中からスポーツ走行に関連づけして焦点を当てた表示項目を主体に厳選して表示する表示画像である。
【００３７】
「スポーツ走行モード表示画像Ａ４」は、表示パネルＰのほぼ中央位置にアナログ表示画像（指針の指示）からなるエンジンの回転を表示するエンジン回転表示画像２が配置されている。
【００３８】
また、エンジン回転表示画像２の右側には、エンジン回転表示画像２の画面よりは小さめの車両の走行速度を表示するアナログ表示画像からなる速度表示画像１が配置されるとともに、その上側に水温表示画像３と燃料表示画像４が配置され、エンジン回転表示画像２の上側には方向指示器表示画像６が配置され、エンジン回転表示画像２の左側にはバッテリーの電圧などを表示する電圧表示画像１２とエンジンオイルの温度を表示する油温表示画像１３およびエンジン内の油圧の値を表示する油圧表示画像１４が設けられるとともに、車両の走行距離を表示する積算表示画像８および車両のギヤポジション位置を表示するギヤポジション表示画像５などが表示画面上に配置されており、表示画面の右上にはモード名表示画像１１としてスポーツ走行モード表示画像の文字が標記されている。
【００３９】
図７は「カスタムモード表示画像Ａ５」の一実施例を示すものであり、「カスタムモード表示画像Ａ５」は、「標準モード表示画像Ａ１」の中から任意に選定された表示項目を表示する表示画像である。
【００４０】
「カスタムモード表示画像Ａ５」は、複数の表示画像を組み合わせて動物の顔の形に模した集合表示画像２０であり、この集合表示画像２０にはその中央にアナログ表示画像からなる速度表示画像１が配置され、その画面左上側（右耳に位置した箇所）にはエンジン回転表示画像２が配置され、画面右上側（左耳に位置した箇所）には燃費表示画像９が配置され、口元に位置した箇所には積算表示画像８が配置されている。
【００４１】
また集合表示画像２０の左右には水温表示画像３と燃料表示画像４が配置されるとともに、上側には方向指示器表示画像６が配置され、表示画面の右上にはモード名表示画像１１としてカスタムモード表示画像の文字が標記されている。
【００４２】
なお、速度表示画像１において、車両の速度の増減に伴い、指針の指示領域（速度）に合わせて動物の目の表情を変えるように表示画像に変化を持たせるように構成している。また場合によっては、速度の変化に合わせて背景色も変化するように設けることにより、斬新な演出効果を達成することができる。
【００４３】
このように本実施形態における車両用における表示装置にあっては、マトリックス状に複数の画素が形成されている表示パネルＰによって様々な車両情報を表示する表示装置において、表示パネルＰに表示する表示画像として、各種の車両情報を表示する標準モード表示画像Ａ１と標準モード表示画像Ａ１に比べて表示項目数が少ない車両情報を表示するシンプルモード表示画像Ａ２とを少なくとも備え、表示パネルＰの表示制御を行う制御部１０１によって切替装置（操作手段）１００の指示に従って標準モード表示画像Ａ１とシンプルモード表示画像Ａ２とを切り換え表示可能に設けてなることを特徴とする表示装置であるため、車両の様々な情報を見たい場合にあっては、標準モード表示画像Ａ１を選択することによって各種の車両情報を子細に読み取ることができるとともに、例えば保安基準に合わせて必要最小限の表示情報を見たい場合に合っては、切替装置１００の指示に従ってシンプルモード表示画像Ａ２の表示へと切り替えを行うことができ、必要な情報を即座に読み取ることが可能となる。
【００４４】
また制御部１０１は、標準モード表示画像Ａ１の中から燃費などに焦点を当てた表示項目を厳選して表示するエコモード表示画像Ａ３を切替装置１００の指示に従って切り替えることにより、運転手のニーズに合ったエコ表示項目を強調して表示することができるとともに、斬新な演出効果を達成することができる。
【００４５】
また制御部１０１は、標準モード表示画像Ａ１の中からスポーツ走行に焦点を当てた表示項目を厳選して表示するスポーツ走行モード表示画像Ａ４を切替装置１００の指示に従って切り替えることにより、運転手のニーズに合った情報を得ることができ、例えばエンジン回転表示を強調して画像表示したり、場合によってはエンジンの状態である過給器の状況を画像表示したりすることによって、それぞれの表示画像の視認性を良好にしつつ、躍動感が得られ、斬新な演出効果を達成することができる。
【００４６】
また制御部１０１は、標準モード表示画像Ａ１の中から任意に選定された表示項目を表示するカスタムモード表示画像Ａ５を切替装置１００の指示に従って切り替えることにより、運転者が任意に選択した表示項目の情報を強調して画像表示することができ、しかも即座に判別することが可能となる。
【産業上の利用可能性】
【００４７】
また、前述した実施形態において詳述したように、自動車における表示装置を例にして説明したが、車両用に限らず船舶用計器などの表示装置などにおいても適用することが可能であり、同様な効果を得ることができる。
【符号の説明】
【００４８】
Ａ１    標準モード表示画像
Ａ２    シンプルモード表示画像
Ａ３    エコモード表示画像
Ａ４    スポーツ走行モード表示画像
Ａ５    カスタムモード表示画像
Ｐ    表示パネル
１    速度表示画像
２    エンジン回転表示画像
３    水温表示画像
４    燃料表示画像
５    ギアポジション表示画像
６    方向指示器表示画像
７    ウォーニング表示画像
８    積算表示画像
９    燃費表示画像
１０    エコ表示画像
１１    モード名表示画像
１２    電圧表示画像
１３    油温表示画像
１４    油圧表示画像
２０    集合表示画像
１００    操作手段（切替装置）
１０１    制御部
１０２    イグニッションスイッチ
【図１】
2013049373.tif 000003
【図２】
2013049373.tif 000004
【図３】
2013049373.tif 000005
【図４】
2013049373.tif 000006
【図５】
2013049373.tif 000007
【図６】
2013049373.tif 000008
【図７】
2013049373.tif 000009